(57)【要約】【課題】本発明では記録媒体と相対的に走査する記録装置が着脱可能な画像読取り手段を装備し、印刷時に記録媒体厚を検知できることを目的としている。また、前記画像読取り装置により記録媒体厚を検知し、それに基づき前記記録装置の記録部と記録媒体厚の距離を一定とし、安定で良質な記録ができることを第２の目的としている。【解決手段】着脱可能な画像読取り装置を有し記録媒体１と相対的に走査される記録装置において、前記画像読取り装置は、前記記録媒体１に光を照射する光源１１とその光源１１から照射された反射光を読取る光センサ１３を有し、前記記録装置と電気的及び機械的に接続されることを特徴とする記録装置、また前記画像読取り手段は光源１１と光センサ１３及び電気部品等で前記画像読取り手段と相対的に走査される記録媒体１の厚さを光学的に読取ることを特徴とする記録装置。【選択図】        図１
2004168474.tif 000002
【特許請求の範囲】
【請求項１】
着脱可能な画像読取り手段を有し記録媒体と相対的に走査される記録装置において、前記画像読取り手段は、画像を光学的に読取り、前記記録装置と電気的及び機械的に接続されることを特徴とする光学的読取り手段を有する記録装置。
【請求項２】
前記画像読取り手段は、光源と光センサ及び電気部品等で前記画像読取り手段と相対的に走査される記録媒体の厚さを光学的に読取ることを特徴とする請求項１記載の光学的読取り手段を有する記録装置。
【請求項３】
前記画像読取り手段は前記記録装置の記録部が記録媒体に印刷するより前の場所で記録媒体を読取ることを特徴とする請求項１記載の光学的読取り手段を有する記録装置。
【請求項４】
前記画像読取り手段は前記記録装置の印刷時より前に記録媒体厚を検知可能とすることを特徴とする請求項１記載の光学的読取り手段を有する記録装置。
【請求項５】
前記画像読取り手段は印刷時より前に記録媒体厚を検知し、使用者の思わくと異なる前記記録媒体の厚さである時、その事を使用者に知らせることを特徴とする請求項１記載の光学的読取り手段を有する記録装置。
【請求項６】
前記画像読取り手段は印刷時より前に記録媒体厚を検知し、使用者の思わくと異なる前記記録媒体の厚さである時、前記記録媒体に記録をしないことを特徴とする請求項１記載の光学的読取り手段を有する記録装置。
【発明の詳細な説明】
【０００１】
【発明の属する技術分野】
本発明は、光学的な画像読取り手段を有する記録装置に関し、前記画像読取り装置が着脱可能で前記記録装置と電気的に接続される技術分野に属するものである。
【０００２】
【従来の技術】
従来の記録装置はコンピュータからのデーターを受け取り、そのデーターに基づき記録媒体と相対的に走査する前記記録装置の記録部が記録するのが一般的である。近年の記録装置は記録だけではなく、記録媒体にあらかじめ記録されている画像を光学的に読取ることもできる画像読取り手段を有する記録装置が存在している。
【０００３】
【発明が解決しようとする課題】
しかし、従来の記録媒体と相対的に走査する記録装置では記録媒体への記録または画像を読取る際に、前記記録装置と画像読取り手段を別々な仕組み（記録時は記録用部品を記録装置に使用、読み取り時は画像読取り装置を記録装置に使用）で仕様しているため、印刷時に記録媒体厚を検知し使用者に知らせることは不可能であった。本発明では記録媒体と相対的に走査する記録装置に電気的及び機械的に接続する着脱可能で光学的な画像読取り手段を装備し、印刷時に前記記録媒体の厚さを検知できることを目的としている。また、前記記録装置で記録時に記録媒体厚を検知し、使用者の思わくと異なる記録媒体であるときはそれをエラーとして示し、前記記録媒体に印刷すること防止することを第２の目的としている。
【０００４】
【課題を解決するための手段】
上記の第１の目的を達成するために着脱可能な画像読取り手段を有し記録媒体と相対的に走査される記録装置において、前記画像読取り手段は、画像を光学的に読取り、前記記録装置と電気的及び機械的に接続されることを特徴とするものである。また、前記画像読取り手段は前記記録装置の記録部が記録媒体に記録するより前の場所で前記記録媒体を読取ることを特徴とするものである。
【０００５】
また、上記の目標１を達成するために前記画像読取り手段は前記記録装置の記録部が記録媒体に記録するより前に記録媒体を読取ることを特徴とするものである。
【０００６】
さらに、上記の目標２を達成するために前記画像読取り手段は印刷前に記録媒体厚を検知し、使用者の思わくと異なる記録媒体の厚さである時、使用者に知らせることを特徴とするものである。また前記画像読取り手段は印刷時より前に記録媒体厚を検知し、使用者の思わくと異なる前記記録媒体の厚さである時、前記記録媒体に記録をしないことを特徴とする記録装置とするものである。
【０００７】
以上、本発明を整理して要約すれば以下の構成に集約できる。
【０００８】
（１）着脱可能な画像読取り手段を有し記録媒体と相対的に走査される記録装置において、前記画像読取り手段は、画像を光学的に読取り、前記記録装置と電気的及び機械的に接続されることを特徴とする光学的読取り手段を有する記録装置。
【０００９】
（２）前記画像読取り手段は、光源と光センサ及び電気部品等で前記画像読取り手段と相対的に走査される記録媒体の厚さを光学的に読取ることを特徴とする前記（１）記載の光学的読取り手段を有する記録装置。
【００１０】
（３）前記画像読取り手段は前記記録装置の記録部が記録媒体に印刷するより前の場所で記録媒体を読取ることを特徴とする前記（１）記載の光学的読取り手段を有する記録装置。
【００１１】
（４）前記画像読取り手段は前記記録装置の印刷時より前に記録媒体厚を検知可能とすることを特徴とする前記（１）記載の光学的読取り手段を有する記録装置。
【００１２】
（５）前記画像読取り手段は印刷時より前に記録媒体厚を検知し、使用者の思わくと異なる前記記録媒体の厚さである時、その事を使用者に知らせることを特徴とする前記（１）記載の光学的読取り手段を有する記録装置。
【００１３】
（６）前記画像読取り手段は印刷時より前に記録媒体厚を検知し、使用者の思わくと異なる前記記録媒体の厚さである時、前記記録媒体に記録をしないことを特徴とする前記（１）記載の光学的読取り手段を有する記録装置。
【００１４】
【発明の実施の形態】
本発明の実施例について図面に基づいて説明する。
【００１５】
（第１実施例）
図１は、本発明第１実施例であり、着脱可能で光学的な画像読取り装置を有するインクジェット方式のプリンターである。同図１に記録媒体１と相対に走査する記録部であるキャリッジ２が設けてある。キャリッジ２の下部にはインク滴を飛ばすことにより記録媒体１に記録をする記録ヘッド部３が、またキャリッジ２の左側面にはキャリッジ２と電気的に接続された画像を光学的に読取る着脱可能なスキャナユニット４を装着する。このキャリッジ２は棒状のシャフト５にガイドされて駆動ベルト６及び駆動モータ７により制御さている。なお、シャフト５を上下に変動させることでキャリッジ２つまり記録ヘッド部３及びスキャナユニット４も上下に変動し、記録時に記録ヘッド部３と記録媒体１の間の間隔を調整することが可能である。またキャリッジ２はシャフト５上で記録媒体１が搬入される方向と相対的に移動し、記録媒体１が記録ヘッド部３に位置したとき微小なインク滴を飛ばすことで印刷を行うことができる。
【００１６】
また画像読取り時も同様にオートシードフィーダ８から画像が搬入されプラテン９を通るが、スキャナユニット４はその光源の赤、緑、青のＬＥＤがプラテン９の部分を照射しており、画像がプラテン部９に位置したときこのＬＥＤが画像を照らし、その反射光を同スキャナユニット４の光センサ、ＩＣ等の部品が電気信号に変換し画像は読取られる。
【００１７】
スキャナユニット４の構造を図２に示した。スキャナユニット４は電気回路基板１０が装備されており、この電気回路基板１０には光源１１がありプラテン（図１の９参照）を通過する記録媒体１２を照射し、その反射光を光センサ１３、ミラー１４、フィールドレンズ１５、結像レンズ１６、ロッドレンズ１７、集積回路（ＩＣ）１８等により電気信号に変換する。また、このスキャナユニット４は外装１９により覆われ外部の光を遮断している。また内面は補強版２０で補強されている。
【００１８】
このスキャナユニット４がオートシートフィーダ（図１の８参照）で送られプラテン（図１の９参照）を通る記録媒体１２を光源１１により照射し、記録媒体１２があるときとそうでないときの反射光量を比較し記録媒体１２の厚さを知ることが可能となる。
【００１９】
（第２の実施例）
前記第１の実施例では、光源１１をＬＥＤとしているが、この第２の実施例でハロゲンランプやヒューズランプ、フィラメント電球、水銀ランプなどの他の光源を用いても前記第１実施例と同様の実施を行うことが可能である。
【００２０】
（第３の実施例）
図３に記録媒体に上記のインクジェット式プリンターで印刷を行う場合で、前記記録媒体厚さを検知し印刷するまでのフローチャートを示した。印刷が始まると記録媒体１はオートシードフィーダ８によりプラテン９へと送られそこでスキャナーにより厚さを光学的に検知され、その厚さが使用者の思わくと一致していた場合、キャリッジ２（記録ヘッド部３）で印刷、排紙され印刷完了となる。一方スキャナーで前記記録媒体の厚さを検知したときに、使用者の思わくと前記記録媒体の厚さが異なる場合は音または、コンピュータ上に表示するなどの行為でエラーを示し、使用者に知らせ、エラーを修正し、つまり記録媒体１が間違っていた場合は記録媒体１を変更、記録媒体１が適正であった場合は記録装置１の位置を上下させ現状の記録装置１で記録するのに適正な高さに変更し、再び印刷を開始し正しい厚さの記録媒体１かを判断し、適正であれば記録をすることができる。
【００２１】
【発明の効果】
以上説明したように本発明は、着脱可能で光学的な画像読取り手段と記録媒体と相対的に走査される記録装置において、前記画像読取り手段は、前記記録媒体に光を照射する光源及び反射した光を読取る光センサを有し、前記記録媒体の厚さを検知することが可能である。
【００２２】
さらに印刷するより前に前記記録媒体の厚さを検知し、それが使用者の思わくと異なる場合にはエラーを示し、異なる厚さの記録媒体への印刷を防止することが可能となる。
【図面の簡単な説明】
【図１】第１実施例である記録装置の斜視図
【図２】第１実施例の着脱可能なスキャナユニットの断面図
【図３】第２実施例の記録媒体厚検知のフローチャート図
【符号の説明】
１  記録媒体
２  キャリッジ
３  記録ヘッド部
４  スキャナユニット
５  シャフト
６  駆動ベルト
７  駆動モータ
８  オードシードフィーダ
９  プラテン
１０  電気基板
１１  光源
１２  記録媒体
１３  光センサ
１４  ミラー
１５  フィールドレンズ
１６  結合レンズ
１７  ロッドレンズ
１８  ＩＣ
１９  外装
２０  補強板
【図１】
2004168474.tif 000003
【図２】
2004168474.tif 000004
【図３】
2004168474.tif 000005